(57)【特許請求の範囲】
【請求項１】
それぞれ長方形の平板から成る外側外板材と内側外板材との間に発泡樹脂製平板から成る中板材を挟んで接着して成る長方形の建築用パネルであって、前記内側外板材および前記中板材の各縁部に面する位置に、前記外側外板材の面を底面とする、他の建築用パネルの縁部を挟んで保持するための溝を有し、
前記溝は前記内側外板材から前記底面にかけて幅が次第に広がっていることを、特徴とする建築用パネル。
【請求項２】
前記内側外板材および前記中板材は互いに縁部が同一平面上に配置されていることを、特徴とする請求項１記載の建築用パネル。
【請求項３】
前記溝は前記内側外板材および前記中板材の各縁部で両側が形成されていることを、特徴とする請求項１または２記載の建築用パネル。
【請求項４】
前記外側外板材は前記内側外板材および前記中板材の各縁部に間隔をあけて対向する位置に角材または板材が固定され、前記溝は前記内側外板材および前記中板材の各縁部と前記角材または前記板材の側面との間に設けられていることを、特徴とする請求項１または２記載の建築用パネル。
【請求項５】
前記中板材は変形および復元可能な弾力性を有することを、特徴とする請求項１乃至４のいずれか１項に記載の建築用パネル。
【請求項６】
前記外側外板材の表面にアルミ箔が貼り付けられていることを、特徴とする請求項１乃至５のいずれか１項に記載の建築用パネル。
【請求項７】
請求項１乃至６のいずれか１項に記載の建築用パネルを複数有し、前記溝に他の建築用パネルの縁部を挟んで成ることを、特徴とする内壁構造。
【請求項８】
請求項１乃至６のいずれか１項に記載の建築用パネルからそれぞれ成る床パネルと天井パネルと奥側パネルと１対の側壁パネルとを有し、
前記床パネルの前記溝は正面側から奥側に互いに平行に伸びる２本の平行床溝から成り、
前記天井パネルは前記床パネルと平行に配置され、前記天井パネルの前記溝は前記床パネルの各平行床溝と平行に配置された２本の平行天井溝から成り、
前記奥側パネルの前記溝は縦方向に平行に伸びる２本の平行縦溝から成り、
各側壁パネルは、互いに平行に配置され、上縁部および下縁部が前記床パネルの各平行床溝および前記天井パネルの各平行天井溝で保持され、それぞれ一方の側縁部が前記奥側パネルの各平行縦溝で保持されていることを、
特徴とする内壁構造。
【請求項９】
前記床パネルの前記溝は、各平行床溝と、各平行床溝に接続した接続床溝とから成り、
前記天井パネルは、各平行天井溝と、前記接続床溝と平行に配置された接続天井溝から成り、
前記奥側パネルは上縁部および下縁部が前記床パネルの前記接続床溝および前記天井パネルの前記接続天井溝で保持されていることを、
特徴とする請求項７または８記載の内壁構造。
【請求項１０】
前記奥側パネルは外壁材に対して間隔をあけて配置され、前記奥側パネルと前記外壁材との間に通風路が形成されていることを、
特徴とする請求項７，８または９記載の内壁構造。
【発明の詳細な説明】
【技術分野】
【０００１】
本発明は、建築用パネルおよび内壁構造に関する。
【背景技術】
【０００２】
従来、発泡ウレタン樹脂の両面に木製板が貼り合されて構成される家屋建築部材パネルが知られている（例えば、特許文献１参照）。
【先行技術文献】
【特許文献】
【０００３】
【特許文献１】特開２００４−２７０４３０号公報
【発明の概要】
【発明が解決しようとする課題】
【０００４】
特許文献１に記載の建築用パネルは、固定する際は釘を複数打ち付ける必要があるため、施工に手間がかかるという課題があった。また、解体後は、釘を取り除くのに手間がかかるとともに、釘跡が残るため再利用しにくいという課題があった。
【０００５】
本発明は、このような課題に着目してなされたもので、釘を用いずに容易に施工することができ、解体後の再利用が容易な建築用パネルおよび内壁構造を提供することを目的とする。
【課題を解決するための手段】
【０００６】
上記目的を達成するために、本発明に係る建築用パネルは、それぞれ長方形の平板から成る外側外板材と内側外板材との間に発泡樹脂製平板から成る中板材を挟んで接着して成る長方形の建築用パネルであって、前記内側外板材および前記中板材の各縁部に面する位置に、前記外側外板材の面を底面とする、他の建築用パネルの縁部を挟んで保持するための溝を有し、前記溝は前記内側外板材から前記底面にかけて溝の幅が次第に広がっていることを、特徴とする。
本発明に係る建築用パネルは、溝に他の建築用パネルの縁部を挟んで保持することができるので、釘や接着剤を用いずに容易に施工することができ、解体および解体後の再利用が容易である。
【０００７】
本発明に係る建築用パネルにおいて、前記内側外板材および前記中板材は互いに縁部が同一平面上に配置されていることが好ましい。
この場合、他の建築用パネルの縁部をより確実に保持することができる。
本発明に係る建築用パネルにおいて、前記溝は前記内側外板材および前記中板材の各縁部で両側が形成されていることが好ましい。
この場合、溝を内側外板材および中板材以外の部材で構成する場合に比べて、製造が容易である。
【０００８】
本発明に係る建築用パネルにおいて、前記外側外板材は前記内側外板材および前記中板材の各縁部に間隔をあけて対向する位置に角材または板材が固定され、前記溝は前記内側外板材および前記中板材の各縁部と前記角材または前記板材の側面との間に設けられていてもよい。
この場合、角材または板材を利用してドアなどを取り付けることができる。
【０００９】
本発明に係る建築用パネルにおいて、前記溝は前記内側外板材から前記底面にかけて幅が次第に広がっている。このため、溝が他の建築用パネルの縁部を挟む保持力を高めることができる。
本発明に係る建築用パネルにおいて、前記中板材は変形および復元可能な弾力性を有することが好ましい。
この場合、中板材を変形させて溝を広げることができるので、溝に他の建築用パネルの縁部を挟みやすく、施工しやすい。
【００１０】
本発明に係る建築用パネルは、前記外側外板材の表面にアルミ箔が貼り付けられていることが好ましい。
この場合、アルミ箔による輻射効果で断熱性能を高めることができる。
【００１１】
本発明に係る内壁構造は、前述の建築用パネルを有し、前記溝に他の建築用パネルの縁部を挟んで成ることを、特徴とする。
本発明に係る内壁構造は、釘を用いずに容易に製造することができ、解体および解体後の再利用が容易である。
【００１２】
本発明に係る内壁構造は、前述の建築用パネルからそれぞれ成る床パネルと天井パネルと奥側パネルと１対の側壁パネルとを有し、前記床パネルの前記溝は正面側から奥側に互いに平行に伸びる２本の平行床溝から成り、前記天井パネルは前記床パネルと平行に配置され、前記天井パネルの前記溝は前記床パネルの各平行床溝と平行に配置された２本の平行天井溝から成り、前記奥側パネルの前記溝は縦方向に平行に伸びる２本の平行縦溝から成り、各側壁パネルは、互いに平行に配置され、上縁部および下縁部が前記床パネルの各平行床溝および前記天井パネルの各平行天井溝で保持され、それぞれ一方の側縁部が前記奥側パネルの各平行縦溝で保持されていてもよい。
【００１３】
この場合、建物内に部屋、クローゼット、本棚等を容易に施工することができ、解体して間取りの変更も容易にできる。各側壁パネルの上縁部および下縁部の長さを床パネルの各平行床溝および天井パネルの各平行天井溝より短くした場合には、各側壁パネルを床パネルおよび天井パネルに対してずらして奥側パネルの位置を調節することができる。
【００１４】
本発明に係る内壁構造において、前記床パネルの前記溝は、各平行床溝と、各平行床溝に接続した接続床溝とから成り、前記天井パネルは、各平行天井溝と、前記接続床溝と平行に配置された接続天井溝から成り、前記奥側パネルは上縁部および下縁部が前記床パネルの前記接続床溝および前記天井パネルの前記接続天井溝で保持されていることが好ましい。
この場合、奥側パネルの上縁部および下縁部を床パネルの接続床溝および天井パネルの接続天井溝で上下から挟み、確実に保持することができる。
【００１５】
本発明に係る内壁構造において、前記奥側パネルは外壁材に対して間隔をあけて配置され、前記奥側パネルと前記外壁材との間に通風路が形成されていることが好ましい。
この場合、通風路に通風することにより、奥側パネルと外壁材との間にカビが生じるのを防ぐことができる。また、室内の空気を通風路に排気することにより、室内の換気が容易となる。
【発明の効果】
【００１６】
本発明によれば、釘を用いずに容易に施工することができ、解体後の再利用が容易な建築用パネルおよび内壁構造を提供することができる。
【図面の簡単な説明】
【００１７】
【図１】本発明の実施の形態の建築用パネルを示す平面図である。
【図２】本発明の実施の形態の内壁構造を示す斜視図である。
【図３】本発明の他の実施の形態の建築用パネルを示す平面図である。
【発明を実施するための形態】
【００１８】
以下、図面に基づき、本発明の実施の形態について説明する。
図１は、本発明の実施の形態の建築用パネルを示している。
【００１９】
図１に示すように、建築用パネル１は、外側外板材２と内側外板材３ａ，３ｂと中板材４ａ，４ｂとから成っている。外側外板材２、内側外板材３ａ，３ｂおよび中板材４ａ，４ｂは、それぞれ長方形の平板から成っている。中板材４ａ，４ｂは、発泡樹脂製平板から成っている。発泡樹脂は、断熱性、難燃性、軽量性ならびに変形および復元可能な弾力性を有するウレタン樹脂を発泡させて成る。
【００２０】
内側外板材３ａおよび中板材４ａは、互いに同一の平面形状を有し、それぞれ外側外板材２の短辺と同一長さの２辺を有する。内側外板材３ａおよび中板材４ａは、４辺および４つの角を合わせて平面が互いに接着剤で貼り合わされている。これにより、内側外板材３ａおよび中板材４ａは、互いに縁部が同一平面上に配置されている。中板材４ａの内側外板材３ａと反対側の面は、外側外板材２の平面に２つの角を合わせ、３つの辺に沿って接着剤で貼り合わされている。
【００２１】
内側外板材３ｂおよび中板材４ｂは、互いに同一の平面形状を有し、それぞれ外側外板材２の短辺と同一長さの２辺を長辺に有する。内側外板材３ｂおよび中板材４ｂは、４辺および４つの角を合わせて平面が互いに接着剤で貼り合わされている。これにより、内側外板材３ｂおよび中板材４ｂは、互いに縁部が同一平面上に配置されている。中板材４ｂの内側外板材３ａと反対側の面は、外側外板材２の平面に２つの角を合わせ、３つの辺に沿って接着剤で貼り合わされている。
【００２２】
こうして、外側外板材２と内側外板材３ａ，３ｂとの間に中板材４ａ，４ｂが挟んで接着されている。内側外板材３ａおよび中板材４ａと内側外板材３ｂおよび中板材４ｂとの間には各縁部に面する位置に溝５が形成されている。溝５は、内側外板材３ａ，３ｂおよび中板材４ａ，４ｂの各縁部で両側が形成されている。溝５は、外側外板材２の面を底面５ａとしている。溝５は、他の建築用パネル１の縁部１ａを挟んで保持するためのものである。溝５は、外側外板材２および内側外板材３ａ，３ｂに対して垂直に伸び、内側外板材３ａ，３ｂから底面５ａにかけて一定の幅となっている。外側外板材２の内側外板材３ａ，３ｂおよび中板材４ａ，４ｂと反対側の面２ａには、表面全体にアルミ箔が貼り付けられている。
建築用パネル１は、溝５を１本のみ有していても、２本有していても、３本以上有していてもよい。
【００２３】
図２に示すように、内壁構造１０は、床パネル１１と天井パネル１２と奥側パネル１３と１対の側壁パネル１４とを有している。各パネル１１，１２，１３，１４は、建築用パネル１からそれぞれ成っている。床パネル１１の溝５は正面側から奥側に互いに平行に伸びる２本の平行床溝１５ａと、各平行床溝１５ａに交差して接続した接続床溝１５ｂとから成っている。天井パネル１２は床パネル１１と平行に配置され、天井パネル１２の溝５は床パネル１１の各平行床溝１５ａと平行に配置された２本の平行天井溝１５ｃと、接続床溝１５ｂと平行に配置された接続天井溝１５ｄとから成っている。
【００２４】
奥側パネル１３の溝５は、縦方向に平行に伸びる２本の平行縦溝１５ｅから成っている。各側壁パネル１４は、互いに平行に配置されている。各側壁パネル１４の上縁部および下縁部は、床パネル１１の各平行床溝１５ａおよび天井パネル１２の各平行天井溝１５ｃで保持されている。各側壁パネル１４のそれぞれ一方の側縁部は、奥側パネル１３の各平行縦溝１５ｅで保持されている。
【００２５】
奥側パネル１３は、上縁部および下縁部が床パネル１１の接続床溝１５ｂおよび天井パネル１２の接続天井溝１５ｄで保持されている。奥側パネル１３は、外壁材に対して間隔をあけて配置され、奥側パネル１３と外壁材との間に通風路１６が形成されている。
【００２６】
次に、作用について説明する。
建築用パネル１は、溝５に他の建築用パネル１の縁部１ａを挟んで保持することができるので、釘や接着剤を用いずに容易に施工することができ、解体および解体後の再利用が容易である。建築用パネル１は、３層構造から成るため頑丈である。建築用パネル１は、断熱性および難燃性を有するので、火災にも強い。建築用パネル１において、内側外板材３ａおよび中板材４ａ、内側外板材３ｂおよび中板材４ｂは、互いに縁部が同一平面上に配置されているので、段差を有する場合に比べて、他の建築用パネルの縁部１ａをより確実に保持することができる。
【００２７】
また、溝５は内側外板材３ａおよび中板材４ａの各縁部と、内側外板材３ｂおよび中板材４ｂの各縁部で両側が形成されているので、溝５を内側外板材３ａ，３ｂおよび中板材４ａ，４ｂ以外の部材で構成する場合に比べて、製造が容易である。溝５は、内側外板材３ａ，３ｂから底面５ａにかけて幅が次第に広がっていてもよい。この場合、溝５が他の建築用パネル１の縁部１ａを挟む保持力を高め、より抜けにくくすることができる。
【００２８】
中板材４ａ，４ｂは変形および復元可能な弾力性を有し、中板材４ａ，４ｂを変形させて溝５を広げることができるので、溝５に他の建築用パネル１の縁部１ａを挟みやすく、施工しやすい。また、挟まれる縁部１ａの中板材４ａの厚みを圧縮させて、縁部１ａを溝５に差し込みやすくすることができる。外側外板材２の面２ａにはアルミ箔が貼り付けられているので、アルミ箔による輻射効果で断熱性能を高めることができる。
【００２９】
内壁構造１０は、複数の建築用パネル１を有し、溝５に他の建築用パネル１の縁部１ａを挟んで成るので、釘や接着剤を用いずに容易に製造することができ、解体および解体後の再利用が容易である。建築用パネル１の溝５に他の建築用パネル１の縁部１ａを差し込むだけでよく、下地を設ける必要がない。建築用パネル１は、ある程度であれば、溝５に斜めに差し込むこともでき、溝５の深さの範囲で建築用パネル１の差し込む深さを調整することができる。このため、溝５により寸法誤差を調整できるので、施工が容易である。
【００３０】
内壁構造１０が床パネル１１と天井パネル１２と奥側パネル１３と１対の側壁パネル１４とから成る場合には、建物内に部屋、クローゼット、本棚等を容易に施工することができ、解体して間取りの変更も容易にできる。内壁構造１０は、新築の建築物だけでなく、リフォームにも用いることができる。各側壁パネル１４の上縁部および下縁部の長さを床パネル１１の各平行床溝１５ａおよび天井パネル１２の各平行天井溝１５ｃより短くした場合には、各側壁パネル１４を床パネル１１および天井パネル１２に対して前後方向にずらして奥側パネル１３の位置を調節することもできる。
【００３１】
奥側パネル１３の上縁部および下縁部は、床パネル１１の接続床溝１５ｂおよび天井パネル１２の接続天井溝１５ｄで上下から挟まれているので、奥側パネル１３を確実に保持することができる。奥側パネル１３と外壁材との間には通風路１６が形成されているので、通風路１６に通風することにより、奥側パネル１３と外壁材との間にカビが生じるのを防ぐことができる。また、室内の空気を通風路１６に排気することにより、室内の換気が容易となる。内壁構造１０では、通風路１６の確保が容易なため、二重通気工法の施工が容易である。
【００３２】
図３は、本発明の他の実施の形態の建築用パネルを示している。
建築用パネル２１では、外側外板材２は内側外板材３ａおよび中板材４ａの各縁部に間隔をあけて対向する位置に角材または板材２２が固定されている。溝５は内側外板材３ａおよび中板材４ａの各縁部と角材または板材２２の側面との間に設けられている。建築用パネル２１の他の構成は、図１の建築用パネル１の構成と同一のため、同一の部材には同一の符号を付し、図１の建築用パネル１と重複する説明を省略する。
【００３３】
建築用パネル２１では、角材または板材２２を利用してドアなどを取り付けることができる。ドアを取り付ける方法は、ドア枠ごと溝５に埋め込む方法、溝５で保持した部材にドア枠を取り付ける方法、建築用パネル１から成るドア枠の溝５で角材または板材および外側外板材を保持する方法のいずれでもよい。
【符号の説明】
【００３４】
１  建築用パネル
１ａ  縁部
２  外側外板材
３ａ，３ｂ  内側外板材
４ａ，４ｂ  中板材
５  溝
５ａ  底面
１０  内壁構造
１１  床パネル
１２  天井パネル
１３  奥側パネル
１４  側壁パネル
１５ａ  平行床溝
１５ｂ  接続床溝
１５ｃ  平行天井溝
１５ｄ  接続天井溝
１５ｅ  平行縦溝
１６  通風路
２１  建築用パネル
２２  角材または板材
【図１】
0006598197.tif 000002
【図２】
0006598197.tif 000003
【図３】
0006598197.tif 000004